(57)【要約】【課題】浴室などに設けられた既設の窓の窓枠に簡単な追加工で窓用換気扇を容易に後付けすることができ、窓を閉じた状態で換気が可能な窓用換気扇装置を提供する。【解決手段】Ｌ字形平板状を成し窓枠に嵌められて窓枠内の１角部に矩形開口を形成しこの矩形開口に向き合う２辺に沿って辺３ａ（被係合部）が設けられているＬ字形プレート３と、取付開口７が開口された矩形平板状を成し矩形開口に嵌められＬ字形プレート３に対向する２辺に沿って辺３ａ（被係合部）に係合する断面コ字形部４ｂ（係合部）が設けられている樹脂製取付板４と、取付開口に取り付けられる窓用換気扇６と、樹脂製取付板４の室外側に取付板から露出する窓用換気扇６を覆うように取り付けられる屋外フード１７とを有する。【選択図】        図４
2008032246.tif 000002
【特許請求の範囲】
【請求項１】
Ｌ字形平板状を成し窓枠に嵌められて該窓枠内の１角部に矩形開口を形成し該矩形開口に向き合う２辺に辺に沿って被係合部が設けられているＬ字形プレートと、
取付開口が開口された矩形平板状を成し前記矩形開口に嵌められ前記Ｌ字形プレートに対向する２辺に辺に沿って前記被係合部に係合する係合部が設けられている取付板と、
前記取付開口に取り付けられる窓用換気扇と、
前記取付板の室外側に前記取付板から露出する前記窓用換気扇を覆うように取り付けられるフードと
を有することを特徴とする窓用換気扇装置。
【請求項２】
前記Ｌ字形プレートは、基準位置０°に対して９０°、１８０°および２７０°回転した位置にて窓枠にはめ込むことができ、各位置にて窓枠との間に形成される矩形開口は正方形であり、前記取付板は各位置にて当該矩形開口にはめ込まれる正方形であり、且つ前記窓用換気扇および前記フードは、前記取付板に対して基準位置０°からそれぞれ９０、１８０°および２７０°回転させた位置に取り付けできるようにされている
ことを特徴とする請求項１に記載の窓用換気扇装置。
【請求項３】
前記フードは、室外側に突出する前記窓用換気扇の全体を覆うように形成され、下面にのみ排気口が形成され、前記排気口はギャラリにて塞がれている
ことを特徴とする請求項１または２に記載の窓用換気扇装置。
【請求項４】
前記フードの外周縁部に室内側に折れ曲がる断面Ｌ字形フランジ状部が設けられ、前記フードを固定する固定用ネジが貫通する取付穴が前記断面Ｌ字形フランジ状部の前記取付板と平行な面に穿孔され、前記固定用ネジが締着されるネジ固定用ボスが前記取付板の屋外側面に前記断面Ｌ字形フランジ状部と同じ高さに突設されている
ことを特徴とする請求項１から３のいずれか１項に記載の窓用換気扇装置。
【請求項５】
前記Ｌ字形プレートおよび前記取付板が樹脂にて作製されている
ことを特徴とする請求項１から４のいずれか１項に記載の窓用換気扇装置。
【請求項６】
前記取付板が半透明樹脂にて作製されている
ことを特徴とする請求項５に記載の窓用換気扇装置。
【請求項７】
前記係合部を構成する断面コ字形部は樹脂にて取付板本体と一体に作製されている
ことを特徴とする請求項５に記載の窓用換気扇装置。
【発明の詳細な説明】
【技術分野】
【０００１】
この発明は、浴室などの外壁に設けられる内倒し窓や固定窓にリフォームなどで後付けできる換気扇装置に関するものである。
【背景技術】
【０００２】
従来、窓に取付ける窓用換気扇装置として、側面に吸気口、前面側に排気口を設けたケース内に吸気口からケース内に吸い込んだ空気を排気口からケース外に排出するファン及びモータを内蔵する換気扇を、壁に設けられた既設の内倒し窓の屋外側に取付けて、内倒し窓を開けた状態において、屋内側の空気を換気扇のケース内に吸い込んで排気口から屋外に排出するものが提案されている（例えば、特許文献１参照）。
【０００３】
【特許文献１】特開２００４−３４０５４４号公報
【発明の開示】
【発明が解決しようとする課題】
【０００４】
しかしながら、上記従来の技術においては、内倒し窓を一部開けた状態で換気扇を使用するので、窓を完全に締め切ることができず施錠が難しく、プライバシー的にも問題があった。また、外風が強い場合などには換気しないばかりか外風がそのまま浴室内に入ってきて換気効率が悪いという問題があった。また、浴室使用時には、照明器をつけるため、虫などが入ってきやすいという問題もあった。さらには、室内側に可動側窓枠が入り込むため、使用時は圧迫感があるという問題もあった。換気扇が窓の外側に位置しているため、電源コードは内倒し窓の窓ガラスの一部を開口して引き込む必要があるという問題もあった。
【０００５】
ところで、特に昭和５０年代以前の集合住宅の浴室用窓には、窓の下部を回転軸として上部を内側に倒す内開き形式の内倒し窓が好んで用いられていた。この内倒し窓を設けた集合住宅などの壁はコンクリート製のものが多く、コンクリート壁の内部には鉄筋等の補強材があり、その構造上から、換気扇を取付けるための壁の開口工事ができないことが多い。そのため、このような集合住宅では浴室に換気扇がないことが多い。また、浴室は共用廊下に面している場合が多く、防犯やプライバシーの問題から入浴時は窓を開けることができず、特に夏場では浴室内部は快適ではなかった。
【０００６】
また、このような集合住宅のトイレは上記浴室の隣にあり、共用廊下に面していないため換気扇が設けられており、この換気ダクトは小口径の例えばΦ５０程度のもので浴室の排水管と同じ物が、浴室内に露出状態で配管されている。同様に排水管は縦方向に浴室内に露出状態で配管されている。換気扇がない浴室のような多湿の環境化においては、既設の内倒し窓を開けるだけでは湿気が無くならず、カビが発生して、それによる臭気の発生という問題を有していた。このため、せっかくリフォームして居室や台所さらにはトイレ、浴室を改装しても、浴室だけは換気装置が無いため不満が残るという状態であった。
【０００７】
本発明は、既設の内倒し窓の窓枠を交換することなく、窓ガラスを交換するのとほぼ同じ簡単な施工で窓用換気扇を容易に後付けにて取り付けることができ、また、窓を閉じた状態で換気が可能な換気装置を提供することにある。
【課題を解決するための手段】
【０００８】
上記課題を解決するために、本発明に係る窓用換気扇装置は、Ｌ字形平板状を成し窓枠に嵌められて該窓枠内の１角部に矩形開口を形成し該矩形開口に向き合う２辺に辺に沿って被係合部が設けられているＬ字形プレートと、取付開口が開口された矩形平板状を成し矩形開口に嵌められＬ字形プレートに対向する２辺に辺に沿って被係合部に係合する係合部が設けられている取付板と、取付開口に取り付けられる窓用換気扇と、取付板の室外側に取付板から露出する窓用換気扇を覆うように取り付けられるフードとを有している。
【発明の効果】
【０００９】
この発明に係る窓用換気扇装置によれば、Ｌ字形プレートは、例えば窓枠に嵌められた窓ガラスと同等形状及び同等厚みの矩形樹脂プレートの１角部分を切り欠いて残るＬ字形の部分にて容易に作製することができる。そして、窓ガラスを交換するのとほぼ同じ簡単な施工で窓用換気扇を容易に後付けにて取り付けることができる。さらには、窓を閉じた状態で換気をすることができる。
【発明を実施するための最良の形態】
【００１０】
以下、本発明にかかる窓用換気扇装置の実施の形態を図面に基づいて詳細に説明する。なお、この実施の形態によりこの発明が限定されるものではない。
【００１１】
実施の形態
以下、本発明に係る窓用換気扇装置の一実施例を図１乃至図１０を参照して説明する。図１は本発明に係る窓用換気扇装置を内倒し窓の窓枠に取り付けた様子を示す斜視図である。図２は同じく窓用換気扇装置を内倒し窓の窓枠に取り付けた状態の側面断面図である。図３は窓用換気扇装置の部品構成を示す分解側面断面図である。図４は本発明に係る窓用換気扇装置の部品構成を示す斜視図である。
【００１２】
図１乃至図４において、本実施の形態の窓用換気扇装置８０は、窓用換気扇６、樹脂製取付板４、Ｌ字形プレート３および屋外フード１７から構成されている。換気扇装置８０は、例えば、内倒し窓の窓枠１に嵌め込んで設置される。Ｌ字形プレート３は、Ｌ字形平板状を成し窓枠１に嵌め込まれて窓枠１内の１角部に正方形の矩形開口を形成する。そして、外形が正方形の樹脂製取付板４が、この矩形開口に嵌め込まれて設置される。Ｌ字形プレート３は、例えば、窓ガラスと同等形状及び同等厚みの矩形樹脂プレートを用意し、この樹脂プレートの１角部分を切り欠いて残るＬ字形の部分にて容易に作製することができる。
【００１３】
樹脂製取付板４は、正方形平板状を成し概略中央に窓用換気扇６を配設するための取付開口７が開口された取付板本体４ａと、取付板本体４ａのＬ字形プレート３と対向する２辺に設けられた断面コ字形部４ｂとから構成されている。図３に示されるように、断面コ字形部４ｂは、取付板本体４ａのＬ字形プレート３と対向する２辺に全長にわたって形成されており、Ｌ字形プレート３と係合する係合部を構成している。一方、Ｌ字形プレート３の取付板本体４ａと対向する２つの辺３ａは、断面コ字形部４ｂと係合する被係合部を構成している（図４）。樹脂製取付板４は、取付板本体４ａと断面コ字形部４ｂとが半透明樹脂により一体に成形されて作製されている。
【００１４】
窓用換気扇６は、樹脂製取付板４の取付開口７に室内側から取り付けられる。取付開口７の周囲に等間隔に４つの取付穴８が裸刻されている。窓用換気扇６は４つの取付穴８のうち２つを選択して固定ネジ１１にて樹脂製取付板４に締着される。そして、換気扇装置８０は、取付穴８の選択のしかたにより、樹脂製取付板４に対して０°、９０°、１８０°および２７０°回転した位置で取り付けが可能とされている。
【００１５】
図２および図３に示されるように、窓用換気扇６は、外殻を構成する枠状の樹脂製本体１５と、樹脂製本体１５から湾曲しながら内側に延び取付開口７内部に空気流路を形成するベルマウス１８と、駆動軸に固定されたプロペラファン１３を回転させて空気流路内の空気を強制的に移動させる駆動モーター１４と、ベルマウス１８の後端部に設けられ駆動モーター１４を支持するたモーター取付脚１６と、樹脂製本体１５を含めて窓用換気扇６の室内側を全面的に覆う化粧グリル１２とを有している。樹脂製本体１５、ベルマウス１８およびモーター取付脚１６は、樹脂により一体に成形されて作製されている。
【００１６】
図５は本発明に係る窓用換気扇装置８０の取り付け過程を示すＬ字形プレートに取付板を取り付けた様子を示す斜視図である。図６は同じく窓用換気扇装置８０の取り付け過程を示す取付板に窓用換気扇を取り付けた様子を示す斜視図である。図７は同じく窓用換気扇装置８０の取り付けが完了した様子を示す斜視図である。樹脂製本体１５の左右端部に固定穴１０が設けられており、窓用換気扇６は、この固定穴１０に挿入された固定ネジ１１にて室内側から樹脂製取付板４に締着されている。窓用換気扇６は樹脂製取付板４に取り付けられた状態で駆動モーター１４等が配設された後端部を室外側に突出させる。駆動モーター１４は、ベルマウス１８内にプロペラファン１３が位置するようにプロペラファン１３を室内側に向けて固定されている。化粧グリル１２は、室内側から樹脂製本体１５に着脱自在に嵌め込まれている。
【００１７】
Ｌ字形プレート３の設置は、通常現在取付けられている窓ガラスを取り外した後、窓ガラスの替わりにＬ字形プレート３を取付けることによって行われる。Ｌ字形プレート３は、反透明状のアクリル板乳半、またはポリカーボネート乳半などの樹脂プレートで作製する。材料として用いる樹脂プレートは、一般的に窓ガラスと同様な３ｍｍから４ｍｍ程度のものを用いるが、樹脂プレートは通常のガラスより強度が高いため３ｍｍ程度のものでも十分である。樹脂プレートは、プラスチックカッターにより取付現場において容易に切断することができ、また、切断箇所は直線のみの簡単な形状であるため、特別な工具は必要としない。樹脂プレートはアクリル板の３ｍｍ程度でも十分な強度がある。
【００１８】
窓用換気扇装置８０への電源配線は、トイレなどの電気機器と同様に、コンクリート製壁面に電源線を収納するためのモールを這わして行う。そして、例えば浴室の隣に位置するトイレまたは洗面所等の電源から分岐させて供給する。窓用換気扇装置８０の電源の入り／切りは、脱衣所等の壁に取付けられるスイッチなどにより手動で行うことができる。
【００１９】
窓用換気扇６の型式は、配管ダクトを有せず直接壁面排気となることから、パイプ用ファンのようなプロペラファン式がのものが適する。このようなパイプ用ファンは、風量が８０ｍ３／ｈ程度あるため、浴室の容積が小さいこともあり、１時間当たり１０回程度の換気をすることができる。そして、浴室内の壁面がコンクリートの場合、３〜５時間程度で乾燥することができる。消費電力は５Ｗ程度であり電気代なども気にならない。
【００２０】
近年ではパイプ用ファン専用の非常に小型、軽量な誘導電動機が開発されており、これを使用したパイプ用ファンは重さが４００ｇ程度ときわめて軽量であり、屋外フード１７をアルミ製として、取付板を樹脂製のものとすれば、装置全体の重さを１ｋｇ以下とすることができる。新型の誘導電動機を採用したパイプ用ファンは、振動が小さいため、３ｍｍ程度のＬ字形プレート３で十分な強度をもって支持することができる。
【００２１】
図８は本発明に係る窓用換気扇装置８０において屋外フードが取付板に対して０°、９０°、１８０°および２７０°回転した位置で取り付けが可能である様子を示す斜視図である。図９は本発明に係る窓用換気扇装置８０において窓用換気扇が取付板に対して０°、９０°、１８０°および２７０°回転した位置で取り付けが可能である様子を示す斜視図である。図１０は本発明に係る窓用換気扇装置８０において窓用換気扇を左右対称な位置に取り付けた様子を示す斜視図である。
【００２２】
屋外フード１７は、いわゆる深形フードと呼ばれるフードで、樹脂製取付板４から外側に突出する窓用換気扇６の全体を覆うように下方まで延びて形成され、空気を流通させる排気口は屋外フード１７の下面にのみ形成されている。この排気口はギャラリ１９にて塞がれている。さらに、樹脂製取付板４は、乳白色の半透明樹脂で光のみ透過はするが透視は出来ない。これにより、浴室内部が見えないようになり、屋外側が共用廊下に面していてもプライバシーを侵害されない。また、排気口が屋外フード１７の下面になるため、排出された湿気を含んだ空気が共用廊下を通る通行人に直接当たることがない。
【００２３】
屋外フード１７の外周縁部に、室内側に折れ曲がる断面Ｌ字形フランジ状部２１が設けられている。そして、屋外フード１７を固定する固定用ネジ２３が貫通する取付穴２０が断面Ｌ字形フランジ状部２１の樹脂製取付板４と平行なる部分に穿孔されている。一方、固定用ネジ２３が締着されるネジ固定用ボス２２が樹脂製取付板４の屋外側面に突設されている。ネジ固定用ボス２２の高さは、断面Ｌ字形フランジ状部２１と同じ高さに突設されている。つまり、断面Ｌ字形フランジ状部２１の樹脂製取付板４と平行なる部分の樹脂製取付板４側面に接する高さとされている。これにより、屋外フード１７の外周端が樹脂製取付板４に密着した状態でネジ固定用ボス２２が断面Ｌ字形フランジ状部２１の内部に収納される。
【００２４】
また、図８に示されるように、樹脂製取付板４には、屋外フード１７を排気口が下方、上方、右方、左方の４方向となるように取り付けできるように、１２個の固定用ボス２２が設けられている。屋外フード１７を排気口を下方に向けて取り付ける場合には、図中Ａ位置の３箇所の固定用ボス２２を使用して固定する。同じく、排気口を上方に向けて取り付ける場合には、図中Ｂ位置の３箇所の固定用ボス２２を使用して、また、排気口を右方に向けて取り付ける場合には、図中Ｃ位置の３箇所の固定用ボス２２を使用し、さらに、排気口を左方に向けて取り付ける場合には、図中Ｂ位置の３箇所の固定用ボス２２を使用して固定する。
【００２５】
Ｌ字形プレート３は、上述のように窓枠１に対して０°、９０°、１８０°および２７０°回転した位置にて窓枠にはめ込むことができる。一方、窓用換気扇６および屋外フード１７も上述のように、樹脂製取付板４に対して０°、１８０°および２７０°回転させた位置に取り付けできるようにされている。この構造により、換気扇装置８０は窓枠１に対して４つの角部のいずれの角部にも、排気口を下方に向ける正規の方向に向けて取り付けることができる。
【００２６】
なお、本実施の形態の窓用換気扇装置８０は内倒し窓の窓枠１に嵌められているが、内倒し窓に限らず、例えばはめ殺し窓の窓枠にも嵌めることができる。また、屋外フード１７は、いずれの位置に取り付けられても排気口を下方に向けて取り付けられていたが、屋外フード１７は、必ずしも排気口を下方に向けて取り付けられてる必要はなく、下方に向けられない場合には例えばいずれかの側方に向けて取り付けられてもよい。
【００２７】
また、本実施の形態において、取付板本体４ａとＬ字形プレート３との間に設けられた係合部および被係合部は、断面コ字形部４ｂとこれに係合するＬ字形プレート３の辺によって構成されている。しかしながら、係合部および被係合部はこの構成に限定されない。すなわち、Ｌ字形プレート３側に断面コ字形部が設けられて、取付板本体４ａ側が単なる辺とされてもよいし、係合部が断面コ字形でない別の形状にて構成されてもよい。さらに、係合部は必ずしも辺の全長にわたって設けられなくてもよく、例えば、所定の間隔を空けて等間隔に設けられてもよい。
【００２８】
以上のように、本実施の形態の窓用換気扇装置においては、Ｌ字形平板状を成し窓枠に嵌められて窓枠内の１角部に矩形開口を形成しこの矩形開口に向き合う２辺に辺に沿って辺３ａ（被係合部）が設けられているＬ字形プレート３と、取付開口７が開口された矩形平板状を成し矩形開口に嵌められＬ字形プレート３に対向する２辺に辺に沿って辺３ａ（被係合部）に係合する断面コ字形部４ｂ（係合部）が設けられている樹脂製取付板４と、取付開口に取り付けられる窓用換気扇６と、樹脂製取付板４の室外側に取付板から露出する窓用換気扇６を覆うように取り付けられる屋外フード１７とを有する。この構成により、Ｌ字形プレート３は、例えば窓枠に嵌められた窓ガラスと同等形状及び同等厚みの矩形樹脂プレートの１角部分を切り欠いて残るＬ字形の部分にて容易に作製することができる。そして、窓ガラスを交換するのとほぼ同じ簡単な施工で窓用換気扇を容易に後付けにて取り付けることができる。さらには、窓を閉じた状態で換気をすることができる。
【００２９】
また、Ｌ字形プレートは、基準位置０°に対して９０°、１８０°および２７０°回転した位置にて窓枠１にはめ込むことができ、各位置にて窓枠１との間に形成される矩形開口は正方形であり、樹脂製取付板４は各位置にて当該矩形開口にはめ込まれる正方形であり、且つ窓用換気扇６および屋外フード１７は、樹脂製取付板４に対して基準位置０°からそれぞれ９０、１８０°および２７０°回転させた位置に取り付けできるようにされている。そのため、窓用換気扇６を窓枠１に対して４つの角部のいずれの角部にも排気口を下方に向ける正規の方向に向けて取り付けることができる。
【００３０】
さらに、屋外フード１７は、室外側に突出する窓用換気扇６の全体を覆うように形成され、下面にのみ排気口が形成され、排気口はギャラリ１９にて塞がれているので、防犯にも優れプライバシーが保たれる。
【００３１】
さらにまた、屋外フード１７の外周縁部に室内側に折れ曲がる断面Ｌ字形フランジ状部２１が設けられ、屋外フード１７を固定する固定用ネジ２３が貫通する取付穴２０が断面Ｌ字形フランジ状部２１の樹脂製取付板４と平行な面に穿孔され、固定用ネジ２３が締着されるネジ固定用ボス２２が樹脂製取付板４の屋外側面に断面Ｌ字形フランジ状部２１と同じ高さに突設されている。そのため、樹脂製取付板４の室内側面を突起のない平坦な形状とすることができ、室内側を意匠性に優れたものとすることができる。
【００３２】
さらにまた、樹脂製取付板４は半透明樹脂で一体成形したため、窓用換気扇６周囲の遮光性が失われることが低減できる。
【産業上の利用可能性】
【００３３】
この発明の窓用換気扇装置は、既設の窓枠に取り付ける窓用換気扇装置として好適なものであり、特に浴室などの外壁に設けられる内倒し窓の窓枠に取り付ける窓用換気扇装置として最適なものである。
【図面の簡単な説明】
【００３４】
【図１】本発明に係る窓用換気扇装置を内倒し窓の窓枠に取り付けた様子を示す斜視図である。
【図２】本発明に係る窓用換気扇装置を内倒し窓の窓枠に取り付けた状態の側面断面図である。
【図３】本発明に係る窓用換気扇装置の部品構成を示す分解側面断面図である。
【図４】本発明に係る窓用換気扇装置の部品構成を示す斜視図である。
【図５】本発明に係る窓用換気扇装置の取り付け過程のＬ字形プレートに取付板を取り付けた様子を示す斜視図である。
【図６】本発明に係る窓用換気扇装置の取り付け過程の取付板に窓用換気扇を取り付けた様子を示す斜視図である。
【図７】本発明に係る窓用換気扇装置の取り付けが完了した様子を示す斜視図である。
【図８】本発明に係る窓用換気扇装置において屋外フードが取付板に対して０°、９０°、１８０°および２７０°回転した位置で取り付けが可能である様子を示す斜視図である。
【図９】本発明に係る窓用換気扇装置において窓用換気扇が取付板に対して０°、９０°、１８０°および２７０°回転した位置で取り付けが可能である様子を示す斜視図である。
【図１０】本発明に係る窓用換気扇装置において窓用換気扇を左右対称な位置に取り付けた様子を示す斜視図である。
【符号の説明】
【００３５】
１  窓枠（内倒し窓の窓枠）
３  Ｌ字形プレート
４  樹脂製取付板（取付板）
４ａ  取付板本体
４ｂ  断面コ字形部（係合部）
６  窓用換気扇
７  取付開口
８  取付穴
１０  固定穴
１１  固定ネジ
１２  化粧グリル
１３  プロペラファン
１４  駆動モーター
１５  樹脂製本体
１６  モーター取付脚
１７  屋外フード
１８  ベルマウス
１９  ギャラリ
２０  固定穴
２１  断面Ｌ字形フランジ状部
２２  ネジ固定用ボス
２３  固定ネジ
８０  窓用換気扇装置
【図１】
2008032246.tif 000003
【図２】
2008032246.tif 000004
【図３】
2008032246.tif 000005
【図４】
2008032246.tif 000006
【図５】
2008032246.tif 000007
【図６】
2008032246.tif 000008
【図７】
2008032246.tif 000009
【図８】
2008032246.tif 000010
【図９】
2008032246.tif 000011
【図１０】
2008032246.tif 000012